(57)【要約】【課題】記憶手段に記憶しておく情報量を極力低減できる情報通信端末を提供すること。【解決手段】この情報通信端末１０は、予め定められた項目に対応する入力情報の回収を指示する回収指示情報を情報回収装置２０から受信する情報受信部１０１と、当該受信した回収指示情報に基づいて、入力情報の内、入力が確定している入力情報を特定する情報特定部１０２と、当該特定した入力情報を情報回収装置に送信する情報送信部１０３と、当該送信した後に、入力情報の処理に関わる電子情報をそれが格納されている処理情報格納部１１１から削除する情報削除部１０４と、を含む。【選択図】　図１
2004088459.tif 000002
【特許請求の範囲】
【請求項１】
予め定められた項目に対応する入力情報の回収を指示する回収指示情報を情報回収装置から受信する情報受信手段と、
当該受信した回収指示情報に基づいて、前記入力情報の内、入力が確定している入力情報を特定する情報特定手段と、
当該特定した入力情報を前記情報回収装置に送信する情報送信手段と、
当該送信した後に、前記入力情報の処理に関わる電子情報をそれが格納されている処理情報格納手段から削除する情報削除手段と、
を含む情報通信端末。
【請求項２】
前記情報送信手段は、前記情報回収装置から指示された時機に前記特定した入力情報を送信する、請求項１に記載の情報通信端末。
【請求項３】
前記入力情報は入力情報格納手段に格納されており、
前記入力情報が占有する記憶領域が前記入力情報格納手段の全部の記憶領域に対して所定の割合を超えた場合に、前記特定した入力情報を送信する、請求項１に記載の情報通信端末。
【請求項４】
前記情報送信手段が前記特定した入力情報を送信した後、前記情報削除手段は前記特定した入力情報をそれが格納されている入力情報格納手段から削除する、請求項１に記載の情報通信端末。
【請求項５】
情報受信手段が、予め定められた項目に対応する入力情報の回収を指示する回収指示情報を情報回収装置から受信する情報受信ステップと、
情報特定手段が当該受信した回収指示情報に基づいて、前記入力情報の内、入力が確定している入力情報を特定する情報特定ステップと、
情報送信手段が、当該特定した入力情報を前記情報回収装置に送信する情報送信ステップと、
当該送信した後に、情報削除手段が前記入力情報の処理に関わる電子情報をそれが格納されている処理情報格納手段から削除する情報削除ステップと、
を含む情報通信方法。
【請求項６】
前記情報送信ステップにおいて前記情報送信手段は、前記情報回収装置から指示された時機に前記特定した入力情報を送信する、請求項５に記載の情報通信方法。
【請求項７】
前記入力情報は入力情報格納手段に格納されており、
前記情報送信ステップにおいて前記情報送信手段は、前記入力情報が占有する記憶領域が前記入力情報格納手段の全部の記憶領域に対して所定の割合を超えた場合に、前記特定した入力情報を送信する、請求項５に記載の情報通信方法。
【請求項８】
前記情報送信手段が前記特定した入力情報を送信した後、前記情報削除ステップにおいて前記情報削除手段は、前記特定した入力情報をそれが格納されている入力情報格納手段から削除する、請求項５に記載の情報通信方法。
【請求項９】
コンピュータを、
予め定められた項目に対応する入力情報の回収を指示する回収指示情報を情報回収装置から受信する情報受信手段と、
当該受信した回収指示情報に基づいて、前記入力情報の内、入力が確定している入力情報を特定する情報特定手段と、
当該特定した入力情報を前記情報回収装置に送信する情報送信手段と、
当該送信した後に、前記入力情報の処理に関わる電子情報をそれが格納されている処理情報格納手段から削除する情報削除手段と、
して機能させるための情報通信プログラム。
【請求項１０】
前記情報送信手段は、前記情報回収装置から指示された時機に前記特定した入力情報を送信する、請求項９に記載の情報通信プログラム。
【請求項１１】
前記入力情報は入力情報格納手段に格納されており、
前記入力情報が占有する記憶領域が前記入力情報格納手段の全部の記憶領域に対して所定の割合を超えた場合に、前記特定した入力情報を送信する、請求項９に記載の情報通信プログラム。
【請求項１２】
前記情報送信手段が前記特定した入力情報を送信した後、前記情報削除手段は前記特定した入力情報をそれが格納されている入力情報格納手段から削除する、請求項９に記載の情報通信プログラム。
【請求項１３】
請求項９から１２のいずれか１項に記載の情報通信プログラムが記録されたことを特徴とするコンピュータ読取可能な記録媒体。
【発明の詳細な説明】
【０００１】
【発明の属する技術分野】
本発明は、情報通信端末、情報通信方法、情報通信プログラム、及び、コンピュータ読取可能な記録媒体に関するものである。
【０００２】
【従来の技術】
サーバといった情報回収装置が、ＰＤＡ（Ｐｅｒｓｏｎａｌ　ＤｉｇｉｔａｌＡｓｓｉｓｔａｎｃｅ）といった個人用の情報通信端末から情報を回収する場合には、ＰＤＡ側から情報を送信するアクションを起こす必要がある。その場合には、ＰＤＡが通信可能な状態にあるかどうかをユーザ側が判断する必要があるので、通信状態が比較的良好でない領域においては必ずしも好ましくない場合もある。この状況を解決する技術としては、特開平９−２６１７８３号公報記載の技術がある。
【０００３】
【発明が解決しようとする課題】
従来の技術では、携帯情報端末の所定の部分（例えばＣＰＵ）に機能を果たさせるためのプログラムはメモリ部分に常駐するように構成されている。このプログラムは、所定の情報を携帯情報端末から受信装置側に送信する際にのみ使用されるものである。一方、ＰＤＡといった情報通信端末は小型化の要請が特に強く、メモリといった記憶手段においてもそこに記憶するプログラムといった電子情報の情報量は少ない方が好ましい。
【０００４】
そこで本発明では、記憶手段に記憶しておく情報量を極力低減できる、情報通信端末、情報通信方法、情報通信プログラム、及び、コンピュータ読取可能な記録媒体を提供することを課題とする。
【０００５】
【課題を解決するための手段】
本発明の情報通信端末は、予め定められた項目に対応する入力情報の回収を指示する回収指示情報を情報回収装置から受信する情報受信手段と、当該受信した回収指示情報に基づいて、入力情報の内、入力が確定している入力情報を特定する情報特定手段と、当該特定した入力情報を情報回収装置に送信する情報送信手段と、当該送信した後に、入力情報の処理に関わる電子情報をそれが格納されている処理情報格納手段から削除する情報削除手段と、を含む。
【０００６】
本発明の情報通信方法は、情報受信手段が、予め定められた項目に対応する入力情報の回収を指示する回収指示情報を情報回収装置から受信する情報受信ステップと、情報特定手段が当該受信した回収指示情報に基づいて、入力情報の内、入力が確定している入力情報を特定する情報特定ステップと、情報送信手段が、当該特定した入力情報を情報回収装置に送信する情報送信ステップと、当該送信した後に、情報削除手段が入力情報の処理に関わる電子情報をそれが格納されている処理情報格納手段から削除する情報削除ステップと、を含む。
【０００７】
本発明の情報通信プログラムは、コンピュータを、予め定められた項目に対応する入力情報の回収を指示する回収指示情報を情報回収装置から受信する情報受信手段と、当該受信した回収指示情報に基づいて、入力情報の内、入力が確定している入力情報を特定する情報特定手段と、当該特定した入力情報を情報回収装置に送信する情報送信手段と、当該送信した後に、入力情報の処理に関わる電子情報をそれが格納されている処理情報格納手段から削除する情報削除手段と、して機能させる。
【０００８】
本発明の情報通信端末及び情報通信方法によれば、入力が確定した入力情報を情報回収装置に送信した後に、その入力情報の処理に関わる電子情報を処理情報格納手段から削除するので、処理情報格納手段にその効用を果たし終えた電子情報が残存することがない。また、コンピュータを用いて本発明の情報通信プログラムを実行しても同様の作用を奏する。
【０００９】
また本発明の情報通信端末においては、情報送信手段は、情報回収装置から指示された時機に特定した入力情報を送信することも好ましい。また本発明の情報通信方法においては、情報送信ステップにおいて情報送信手段が、情報回収装置から指示された時機に特定した入力情報を送信することも好ましい。また本発明の情報通信プログラムにおいては、情報送信手段は、情報回収装置から指示された時機に特定した入力情報を送信することも好ましい。情報通信端末のユーザが特に意識しなくても特定した入力情報を情報回収装置に送信できる。また、この時機の設定を調整することにより、例えば、情報回収装置の受信手段の負荷が分散するように確定した入力情報を回収できる。
【００１０】
また本発明の情報通信端末においては、入力情報は入力情報格納手段に格納されており、入力情報が占有する記憶領域が入力情報格納手段の全部の記憶領域に対して所定の割合を超えた場合に、特定した入力情報を送信することも好ましい。また本発明の情報通信方法においては、入力情報は入力情報格納手段に格納されており、情報送信ステップにおいて情報送信手段は、入力情報が占有する記憶領域が入力情報格納手段の全部の記憶領域に対して所定の割合を超えた場合に、特定した入力情報を送信することも好ましい。また本発明の情報通信プログラムにおいては、入力情報は入力情報格納手段に格納されており、入力情報が占有する記憶領域が入力情報格納手段の全部の記憶領域に対して所定の割合を超えた場合に、特定した入力情報を送信することも好ましい。情報通信端末のユーザが、入力情報の記憶領域に対する割合を意識しなくても特定した入力情報を情報回収装置に送信できるので、より効率的に入力情報格納手段の記憶領域を活用できる。
【００１１】
また本発明の情報通信端末においては、情報送信手段が特定した入力情報を送信した後、情報削除手段は特定した入力情報をそれが格納されている入力情報格納手段から削除することも好ましい。また本発明の情報通信方法においては、情報送信手段が特定した入力情報を送信した後、情報削除ステップにおいて情報削除手段が、特定した入力情報をそれが格納されている入力情報格納手段から削除することも好ましい。また本発明の情報通信プログラムにおいては、情報送信手段が特定した入力情報を送信した後、情報削除手段は特定した入力情報をそれが格納されている入力情報格納手段から削除することも好ましい。既に送信した入力情報を削除できるので、より効率的に入力情報格納手段を活用できる。
【００１２】
本発明のコンピュータ読取可能な記録媒体は、上記いずれかの情報通信プログラムが記録されている。コンピュータを用いて、本発明の記録媒体に記録された情報通信プログラムを実行すると、入力が確定した入力情報を情報回収装置に送信した後に、その入力情報の処理に関わる電子情報を処理情報格納手段から削除するので、処理情報格納手段にその効用を果たし終えた電子情報が残存することがない。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である情報通信端末及び情報回収装置について図１を用いて説明する。図１は情報通信端末１０及び情報回収装置２０を説明するための図である。情報通信端末１０と情報回収装置２０とは図示しない移動体通信網を介して通信可能なように構成されている。図示しない移動体通信網は、音声通話のための音声通信網と、データ通信のためのパケット通信網又はデータ通信のための回線交換網とを含むものである。
【００１５】
まず、情報回収装置２０について説明する。情報通信装置２０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。例えば、アプリサーバ、管理サーバ、発呼サーバといったコンピュータシステムに分散して構成されていてもよい。
【００１６】
情報回収装置２０は、機能的な構成要素として、制御情報送信部２０１と、回収情報受信部２０２と、回収情報格納部２１０と、を含む。引き続いて、各構成要素について詳細に説明する。
【００１７】
制御情報送信部２０１は、情報回収装置２０と情報通信端末１０との間で回線接続された後に、情報通信端末１０に対して制御情報（回収指示情報）を送信する部分である。この制御情報には、アプリケーション名とパラメータが含まれており、情報通信端末１０に操作指示を行う情報として構成されている。アプリケーション名は、情報通信端末１０に格納されている通信といった入力情報の処理に関わるアプリケーションソフトウェア（電子情報）を特定するための情報である。パラメータは、対象アプリケーション名と、動作指示コマンドと、その他の属性とを含む情報である。
【００１８】
対象アプリケーション名とは、例えば、情報通信端末１０を利用してユーザが所定の情報を入力するための入力フォームを特定するための情報である。動作指示コマンドとは、例えば、入力済みの情報の回収を指示する情報や、入力フォームを送信するための情報である。
【００１９】
回収情報受信部２０２は、情報通信端末１０から送信される所定の情報を受信する部分である。この所定の情報は、制御情報送信部２０１が送信する制御情報に応じて情報通信端末１０が送信する情報である。回収情報受信部２０２は、この受信した所定の情報を回収情報格納部２１０に格納する。回収情報受信部２０２は、所定の情報を回収情報格納部２１０に格納した後、情報通信端末１０に情報受信完了通知を送信するようにしてもよい。
【００２０】
所定の情報を回収情報格納部２１０に格納する場合には、種々の属性を付加することができる。例えば、どの入力フォームを利用して入力された情報なのかといった属性や、どのユーザが入力したのかといった属性を付加することができる。
【００２１】
引き続いて、情報通信端末１０について説明する。情報通信端末１０は、物理的には、ＣＰＵ（中央処理装置）、メモリ、マウスやキーパッドといった入力装置、ディスプレイといった表示装置、ハードディスクといった格納装置、モデムといった通信装置などを備えた携帯型のコンピュータシステムとして構成されており、一般的にはＰＤＡ（Ｐｅｒｓｏｎａｌ　Ｄｉｇｉｔａｌ　Ａｓｓｉｓｔａｎｃｅ）と呼称されているものを含む。
【００２２】
情報通信端末１０は機能的な構成要素として、情報受信部（情報受信手段）１０１と、情報特定部（情報特定手段）１０２と、情報送信部（情報送信手段）１０３と、情報削除部（情報削除手段）１０４と、入力情報格納部（入力情報格納手段）１１０と、処理情報格納部（処理情報格納手段）１１１と、を含む。引き続いて、各構成要素について詳細に説明する。
【００２３】
情報受信部１０１は、予め定められた項目に対応する入力情報の回収を指示する回収指示情報としての制御情報を情報回収装置２０から受信する部分である。既に説明したようにこの制御情報には、アプリケーション名とパラメータが含まれており、情報通信端末１０に操作指示を行う情報として構成されている。情報受信部１０１は、アプリケーション名によって特定される通信アプリケーションソフトウェア（電子情報）を起動する。この通信アプリケーションソフトウェアは、処理情報格納部１１１に格納されている情報であって、それがＣＰＵに読み込まれて起動すると、情報通信端末１０の一部を情報特定部１０２や情報送信部１０３や情報削除部１０４といった部分として機能させるための情報である。情報受信部１０１は、受信した制御情報を情報特定部１０２に出力する。
【００２４】
情報特定部１０２は、情報受信部１０１が受信した回収指示情報としての制御情報に基づいて、入力情報の内、入力が確定している入力情報を特定する部分である。より具体的には、入力情報格納部１１０に格納されている入力情報と、制御情報に含まれるパラメータとに基づいて、入力が確定している入力情報を特定して情報送信部１０３に出力する。
【００２５】
入力が確定している入力情報かどうかを判断するためには種々の方法が用いられる。一例としては、途中保存のファイル名を「Ｃ　ａｂｃ．ｄａｔ」とし、確定保存のファイル名を「Ｆ　ａｂｃ．ｄａｔ」とするものがある。この「Ｃ」は「Ｃｏｎｔｉｎｕｅ（継続）」を、「Ｆ」は「Ｆｉｎａｌ（確定）」をそれぞれ意味しているものとする。すなわち、ユーザが情報通信端末１０に所定の情報を入力している場合において、入力が完了する前に保存する必要がある場合には、入力フォームの「途中保存」を選択してその入力情報を保存する。その場合には、自動的に保存のファイル名が「Ｃ　ａｂｃ．ｄａｔ」といったように、途中保存を示すファイル名となる。一方、入力が完了してから保存する場合には、入力フォームの「確定保存」を選択してその入力情報を保存する。その場合には、自動的に保存のファイル名が「Ｆ　ａｂｃ．ｄａｔ」に切り替わって保存される。この入力フォームは、情報回収装置２０から送信されるようにすることも好ましい。
【００２６】
情報送信部１０３は、情報特定部１０２が特定した入力情報を情報回収装置２０に送信する部分である。情報送信部１０３は、入力情報を情報回収装置２０に送信したことを特定する情報を情報削除部１０４に出力する。情報送信部１０３が情報回収装置２０に特定された入力情報を送信する時機（タイミング）は、必要に応じて設定されるものである。その時機は、情報回収装置２０から指示された特定の時機が好ましい。情報回収装置２０の都合に応じて情報の回収ができるためである。
【００２７】
またその時機は、入力情報格納部１１０の記憶領域の内、入力情報が占める記憶領域が所定の割合（例えば６０％）を超えた場合も好ましい。入力情報格納部１１０の記憶領域を効率的に使用できるためである。情報送信部１０３は、送信すべき入力情報がない場合には、その旨を特定する情報を情報回収装置２０に送信するようにしてもよい。
【００２８】
情報削除部１０４は、情報送信部１０３が入力情報を情報回収装置２０に送信した後に、その入力情報の処理に関わる電子情報としての入力アプリケーションソフトウェア（アプリケーションソフトウェア）を処理情報格納部１１１から削除する部分である。この削除は、情報送信部１０３からの送信完了を特定する情報の出力に応じて行ってもよく、入力情報を受信した情報回収装置２０からの指示情報（例えば、回収情報受信部２０２が入力情報を受信した際に返信する指示情報）に応じて行ってもよい。また、情報削除部１０４は、情報送信部１０３が情報回収装置２０に送信した入力情報を、入力情報格納部１１０から削除するようにしてもよい。この入力情報の削除も、情報送信部１０３の送信に応じて行うようにしても、情報回収装置２０からの指示に応じて行うようにしてもよい。
【００２９】
引き続いて、情報通信端末１０及び情報回収装置２０を用いて情報の回収を行う方法について、図２に示すシーケンス図を用いて説明する。情報回収装置２０にデータ自動回収要求といった指示情報が入力されると、情報回収装置２０は、情報通信端末１０に回線接続要求を行う（Ｓ０１）。その回線接続要求に応じて、情報回収装置２０と情報通信端末１０とが回線接続される（Ｓ０２）。
【００３０】
回線接続後、情報回収装置２０から情報通信端末１０に制御情報が送信される（Ｓ０３）。この制御情報には、アプリケーション名とパラメータが含まれており、情報通信端末１０に操作指示を行う情報として構成されている。制御情報の受渡しが終了すると、相互認証が行われる（Ｓ０４）。
【００３１】
制御情報に含まれるアプリケーション名によって特定される通信アプリケーションソフトウェアが起動する（Ｓ０５）。この起動に応じて、情報通信端末１０の一部が、情報特定部１０２、情報送信部１０３、情報削除部１０４として機能する。入力情報格納部１１０に格納されている入力情報と、制御情報に含まれるパラメータとに基づいて、入力が確定している入力情報を特定する（Ｓ０６）。
【００３２】
この制御情報には、アプリケーション名とパラメータが含まれており、情報通信端末１０に操作指示を行う情報として構成されている。より具体的には、入力情報格納部１１０に格納されている入力情報と、制御情報に含まれているパラメータとに基づいて、入力が確定している入力情報を特定して情報送信部１０３に出力する（Ｓ０６）。情報送信部１０３はその特定された入力情報を情報回収装置２０に送信する（Ｓ０７）。
【００３３】
情報回収装置２０に送信された入力情報は、回収情報受信部２０２が受信し、回収情報格納部２１０に格納する（Ｓ０８）。回収情報受信部２０２は、入力情報を受信したことを特定する情報受信完了通知を情報通信端末２０に送信する（Ｓ０９）。
【００３４】
回収情報受信部２０２が送信した情報受信完了通知は、情報削除部１０４が受信する。情報削除部１０４は、その受信に応じて入力情報格納部１１０に格納されている、既に送信された入力情報を削除する（Ｓ１０）。情報削除部１０４は、Ｓ０６において特定した入力情報をユーザが入力する際に使用した入力フォームに関する電子情報である入力アプリケーションソフトウェアを、処理情報格納部１１１から削除する（Ｓ１１）。
【００３５】
情報通信端末１０は、入力アプリケーションソフトウェアを削除したことを情報回収装置２０に通知する（Ｓ１２）。情報回収装置２０はその通知に応じて、情報通信端末１０との回線を切断する（Ｓ１３）。
【００３６】
次にコンピュータを、本実施形態の情報通信端末１０として機能させるための情報通信プログラム９２及びそれが記録されているコンピュータ読取可能な記録媒体９について説明する。図３は、情報通信プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３７】
記録媒体９は、図３に示すように、プログラムを記録するプログラム領域９１と、データを記録するデータ領域９３とを備えている。データ領域９３には、図１を用いて説明した入力情報格納部１１０と同様の入力情報データベース９３１が格納されている。尚、図１を用いて説明した処理情報格納部１１１には、引き続いて説明する情報特定モジュール９２３、情報送信モジュール９２４、情報削除モジュール９２５の少なくとも一つが格納されている。
【００３８】
プログラム領域９１には、情報通信プログラム９２が記録されている。情報通信プログラム９２は、処理を統括するメインモジュール９２１と、情報受信モジュール９２２と、情報特定モジュール９２３と、情報送信モジュール９２４と、情報削除モジュール９２５とを備える。ここで、情報受信モジュール９２２、情報特定モジュール９２３、情報送信モジュール９２４、情報削除モジュール９２５のそれぞれを動作させることによって実現する機能は、上記情報通信端末１０の情報受信部１０１、情報特定部１０２、情報送信部１０３、情報削除部１０４のそれぞれの機能と同様である。
【００３９】
本実施形態においては、入力が確定した入力情報を情報回収装置２０に送信した後に、その入力情報の処理に関わる入力アプリケーションソフトウェアを処理情報格納部１１１から削除するので、処理情報格納部１１１にその効用を果たし終えたアプリケーションソフトウェアが残存することがない。つまり、入力フォームとして機能させるための入力アプリケーションソフトウェアを情報の送信後に削除するので、情報通信端末１０の記憶領域を有効に活用できる。
【００４０】
【発明の効果】
本発明によれば、入力が確定した入力情報を情報回収装置に送信した後に、その入力情報の処理に関わる電子情報を処理情報格納手段から削除するので、処理情報格納手段にその効用を果たし終えた電子情報が残存することがない。従って本発明の目的とする、記憶手段に記憶しておく情報量を極力低減できる、情報通信端末、情報通信方法、情報通信プログラム、及び、コンピュータ読取可能な記録媒体を提供することができた。
【図面の簡単な説明】
【図１】本発明の実施形態である情報通信端末を説明するための図である。
【図２】図１の情報通信端末及び情報回収装置を用いて情報の回収を行う方法を示したシーケンス図である。
【図３】本発明の実施形態である情報通信プログラムを説明するための図である。
【符号の説明】
１０…情報通信端末、２０…情報回収装置、１０１…情報受信部、１０２…情報特定部、１０３…情報送信部、１０４…情報削除部、１１０…入力情報格納部、１１１…処理情報格納部、２０１…制御情報送信部、２０２…回収情報受信部、２１０…回収情報格納部。
【図１】
2004088459.tif 000003
【図２】
2004088459.tif 000004
【図３】
2004088459.tif 000005